(57)【特許請求の範囲】
【請求項１】
出力端子における出力電圧の振幅が一定となるように入力電圧を増幅する増幅部と、
前記出力端子に接続される機器が許容する許容電圧を取得する許容電圧取得部と、
前記出力電圧の最大値と前記許容電圧との比率に応じて前記増幅された入力電圧をさらに増幅して出力する調整部と、
前記調整部により出力された電圧を前記比率に応じて分圧して前記出力端子に出力する分圧部と
を具備し、
前記調整部は、
前記増幅された入力電圧を増幅する調整アンプと、
前記比率に応じて前記調整アンプに接続する抵抗の抵抗値を変更することにより前記調整アンプのゲインを調整するゲイン調整部と
を備える
ゲイン制御回路。
【請求項２】
前記許容電圧取得部は、前記出力端子の電圧を前記許容電圧として測定する
請求項１記載のゲイン制御回路。
【請求項３】
前記許容電圧と前記比率とを対応付けて保持するテーブルをさらに具備し、
前記分圧部は、前記取得された許容電圧に対応する前記比率を前記テーブルから読み出して当該比率に応じて前記出力電圧を分圧する
請求項１記載のゲイン制御回路。
【請求項４】
前記テーブルは、前記出力電圧が差動出力信号の電圧であるか否かを示す信号形式を前記許容電圧および前記比率に対応付けてさらに保持し、
前記分圧部は、前記信号形式および前記許容電圧に対応する前記比率を読み出す
請求項３記載のゲイン制御回路。
【請求項５】
前記分圧部は、抵抗を挿入することにより前記出力電圧を分圧する
請求項１記載のゲイン制御回路。
【請求項６】
出力端子における出力電圧の振幅が一定となるように入力電圧を増幅する増幅部と、
前記出力端子に接続される機器が許容する許容電圧を取得する許容電圧取得部と、
前記出力電圧の最大値と前記許容電圧との比率に応じて前記増幅された入力電圧をさらに増幅して出力する調整部と、
前記調整部により出力された電圧を前記比率に応じて分圧して前記出力端子に出力する分圧部と
を具備し、
前記調整部は、
前記増幅された入力電圧を増幅する調整アンプと、
前記比率に応じて前記調整アンプに接続する抵抗の抵抗値を変更することにより前記調整アンプのゲインを調整するゲイン調整部と
を備える
受信装置。
【請求項７】
受信信号が重畳された入力電圧が入力されると出力端子における出力電圧の振幅が一定となるように前記入力電圧を増幅する増幅部と、前記出力端子に接続される機器が許容する許容電圧を取得する許容電圧取得部と、前記出力電圧の最大値と前記許容電圧との比率に応じて前記増幅された入力電圧をさらに増幅して出力する調整部と、前記調整部により出力された電圧を前記比率に応じて分圧して前記出力端子に出力する分圧部とを備えるゲイン制御回路と、
前記出力電圧に重畳された前記受信信号を処理する信号処理装置と
を具備し、
前記調整部は、
前記増幅された入力電圧を増幅する調整アンプと、
前記比率に応じて前記調整アンプに接続する抵抗の抵抗値を変更することにより前記調整アンプのゲインを調整するゲイン調整部と
を備える
受信システム。
【発明の詳細な説明】
【技術分野】
【０００１】
本技術は、ゲイン制御回路および受信システムに関する。詳しくは、受信装置におけるゲイン制御回路および受信システムに関する。
【背景技術】
【０００２】
従来、地上波などを受信する受信装置においては、受信信号のレベルが安定しないことがあるため、出力信号のレベルが一定となるように受信信号のレベルを増幅または減衰するＡＧＣ（Auto Gain Control）機能が設けられることが多い。このような受信装置は、一定のレベルに制御した信号を復調装置などの機器に供給する。この復調装置等では、一般に、小型であるほど、誤動作や故障が生じないことが保証される許容電圧が低くなる。近年では特に小型化が進められているため、機器の許容電圧が低くなる傾向にある。
【０００３】
このような機器を保護するために、例えば、出力信号の振幅を分圧して、その機器の許容電圧以下に制限する増幅回路が提案されている（例えば、特許文献１参照。）。
【先行技術文献】
【特許文献】
【０００４】
【特許文献１】特開昭６０−０００１０９号公報
【発明の概要】
【発明が解決しようとする課題】
【０００５】
しかしながら、上述の増幅回路は、出力信号の振幅を分圧するため、その増幅回路を用いるＡＧＣのゲインが低下してしまうという問題がある。これにより、ＡＧＣにおける動作点が変化してしまう。ここで、動作点は、ゲインの制御が開始される条件のことを意味し、例えば、受信信号のレベルや受信信号の周波数により定義される。上述の増幅回路では、分圧により動作点が変化すると、出力信号のレベルを適切に制御することができなくなってしまうという問題がある。
【０００６】
本技術はこのような状況に鑑みて生み出されたものであり、動作点を維持しつつ、機器を保護することを目的とする。
【課題を解決するための手段】
【０００７】
本技術は、上述の問題点を解消するためになされたものであり、その第１の側面は、出力端子における出力電圧の振幅が一定となるように入力電圧を増幅する増幅部と、前記出力端子に接続される機器が許容する許容電圧を取得する許容電圧取得部と、前記増幅された入力電圧の最大電圧と前記許容電圧との比率に応じて前記出力電圧を分圧する分圧部と、前記増幅された入力電圧を前記比率に応じてさらに増幅して前記出力端子に供給する調整部とを具備するゲイン制御回路である。これにより、最大電圧と許容電圧との比率に応じて出力電圧が分圧され、増幅された入力電圧がさらに増幅されるという作用をもたらす。
【０００８】
また、この第１の側面において、前記許容電圧取得部は、前記出力端子の電圧を前記許容電圧として測定してもよい。これにより、出力端子の電圧が許容電圧として測定されるという作用をもたらす。
【０００９】
また、この第１の側面において、前記許容電圧と前記比率とを対応付けて保持するテーブルをさらに具備し、前記分圧部は、前記取得された許容電圧に対応する前記比率を前記テーブルから読み出して当該比率に応じて前記出力電圧を分圧してもよい。これにより、許容電圧と前記比率とを対応付けて保持するテーブルから読み出された比率に応じて出力電圧が分圧されるという作用をもたらす。
【００１０】
また、この第１の側面において、前記テーブルは、前記出力電圧が差動出力信号の電圧であるか否かを示す信号形式を前記許容電圧および前記比率に対応付けてさらに保持し、前記分圧部は、前記信号形式および前記許容電圧に対応する前記比率を読み出してもよい。これにより、信号形式および許容電圧に対応する比率が読み出されるという作用をもたらす。
【００１１】
また、この第１の側面において、前記分圧部は、抵抗を挿入することにより前記出力電圧を分圧してもよい。これにより、抵抗の挿入により出力電圧が分圧されるという作用をもたらす。
【００１２】
また、この第１の側面において、前記調整部は、前記増幅された入力電圧を増幅する調整アンプと、前記比率に応じて前記調整アンプに接続する抵抗の抵抗値を変更することにより前記調整アンプのゲインを調整するゲイン調整部とを備えてもよい。これにより、比率に応じて調整アンプに接続する抵抗の抵抗値を変更することにより調整アンプのゲインが調整されるという作用をもたらす。
【００１３】
また、本技術の第２の側面は、出力端子における出力電圧の振幅が一定となるように入力電圧を増幅する増幅部と、前記出力端子に接続される機器が許容する許容電圧を取得する許容電圧取得部と、前記増幅された入力電圧の最大電圧と前記許容電圧との比率に応じて前記出力電圧を分圧する分圧部と、前記増幅された入力電圧を前記比率に応じてさらに増幅して前記出力端子に供給する調整部とを具備する受信装置である。
【００１４】
また、本技術の第３の側面は、受信信号が重畳された入力電圧が入力されると出力端子における出力電圧の振幅が一定となるように前記入力電圧を増幅する増幅部と、前記出力端子に接続される機器が許容する許容電圧を取得する許容電圧取得部と、前記増幅された入力電圧の最大電圧と前記許容電圧との比率に応じて前記出力電圧を分圧する分圧部と、前記増幅された入力電圧を前記比率に応じてさらに増幅して前記出力端子に供給する調整部とを備えるゲイン制御回路と、前記出力電圧に重畳された前記受信信号を処理する信号処理装置とを具備する受信システムである。これにより、最大電圧と許容電圧との比率に応じて出力電圧が分圧され、増幅された入力電圧がさらに増幅されるという作用をもたらす。
【発明の効果】
【００１５】
本技術によれば、動作点を維持しつつ、機器を保護することができるという優れた効果を奏し得る。
【図面の簡単な説明】
【００１６】
【図１】第１の実施の形態における受信システムの一構成例を示すブロック図である。
【図２】第１の実施の形態における周波数変換部の一構成例を示すブロック図である。
【図３】第１の実施の形態におけるＩＦ可変ゲインアンプの一構成例を示すブロック図である。
【図４】第１の実施の形態における振幅制限部の一構成例を示すブロック図である。
【図５】第１の実施の形態における分圧比設定テーブルの一例を示す図である。
【図６】第１の実施の形態におけるゲイン制御部の一構成例を示すブロック図である。
【図７】第１の実施の形態における受信システムの初期設定処理の一例を示すフローチャートである。
【図８】第２の実施の形態における受信システムの一構成例を示すブロック図である。
【図９】第２の実施の形態における受信システムの初期設定処理の一例を示すフローチャートである。
【図１０】第３の実施の形態における受信システムの一構成例を示すブロック図である。
【図１１】第３の実施の形態における振幅制限部の一構成例を示すブロック図である。
【図１２】第４の実施の形態における振幅制限部の一構成例を示すブロック図である。
【図１３】第４の実施の形態における受信システムの初期設定処理の一例を示すフローチャートである。
【発明を実施するための形態】
【００１７】
以下、本技術を実施するための形態（以下、実施の形態と称する）について説明する。説明は以下の順序により行う。
１．第１の実施の形態（設定された許容電圧と最大電圧との比率に応じて分圧する例）
２．第２の実施の形態（復調装置から入力された許容電圧と最大電圧との比率に応じて分圧する例）
３．第３の実施の形態（許容電圧と最大電圧との比率に応じてシングル出力信号の電圧を分圧する例）
４．第４の実施の形態（測定した許容電圧と最大電圧との比率に応じて分圧する例）
【００１８】
＜１．第１の実施の形態＞
［受信システムの構成例］
図１は、実施の形態における受信システムの一構成例を示すブロック図である。この受信システムは、地上波や衛星波などの高周波（ＲＦ：Radio Frequency）信号を受信するためのシステムである。受信システムは、アンテナ１００、受信装置２００、および、復調装置４００を備える。
【００１９】
アンテナ１００は、地上波等の高周波信号を受信するものである。アンテナ１００は、受信した高周波信号を受信装置２００に供給する。
【００２０】
受信装置２００は、ＲＦ可変ゲインアンプ２１０、バンドパスフィルタ２２０、周波数変換部２３０、ＩＦ可変ゲインアンプ２４０、ゲイン制御部２５０および振幅制限部３００を備える。
【００２１】
ＲＦ可変ゲインアンプ２１０は、ゲイン制御部２５０の制御に従って高周波信号を増幅するものである。具体的には、ＲＦ可変ゲインアンプ２１０は、ゲイン制御部２５０の制御に従って、増幅におけるゲインを変更する。ゲインは、例えば、次の式１により定義される。ゲインの単位は、例えば、デシベル（ｄＢ）である。
Ｇ＝２０×ｌｏｇ１０（Ｖout／Ｖin）    式１
式１において、Ｇはゲインである。Ｖinは、ＲＦ可変ゲインアンプ２１０の入力電圧（すなわち、高周波信号の電圧）である。Ｖoutは、ＲＦ可変ゲインアンプ２１０からの出力電圧である。ＲＦ可変ゲインアンプ２１０は、増幅した高周波信号をバンドパスフィルタ２２０に信号線２１９を介して出力する。
【００２２】
バンドパスフィルタ２２０は、特定の周波数帯域の信号を通過させるものである。バンドパスフィルタ２２０は、例えば、ＵＨＦ（Ultra High Frequency）帯を通過させて信号線２２９を介して周波数変換部２３０に供給する。
【００２３】
周波数変換部２３０は、高周波信号の周波数を変換するものである。周波数変換部２３０は、例えば、復調装置４００が復調可能な、比較的低い周波数に高周波信号の周波数を変換する。周波数変換部２３０は、変換した信号を中間周波数（ＩＦ：Intermediate Frequency）信号として信号線２３９を介してＩＦ可変ゲインアンプ２４０に供給する。
【００２４】
ＩＦ可変ゲインアンプ２４０は、ゲイン制御部２５０の制御に従って中間周波数信号を増幅するものである。具体的には、ＩＦ可変ゲインアンプ２４０は、ゲイン制御部２５０の制御に従って、増幅におけるゲインを変更する。ＩＦ可変ゲインアンプ２４０は、増幅した中間周波数信号を振幅制限部３００に信号線２４９を介して出力する。なお、ＲＦ可変ゲインアンプ２１０およびＩＦ可変ゲインアンプ２４０は、特許請求の範囲に記載の増幅部の一例である。
【００２５】
ゲイン制御部２５０は、ＲＦ可変ゲインアンプ２１０およびＩＦ可変ゲインアンプ２４０のゲインを制御するものである。ゲイン制御部２５０は、例えば、振幅制限部３００または復調装置４００から出力された信号の振幅に基づいて、その信号の振幅が一定となるように、ＲＦ可変ゲインアンプ２１０およびＩＦ可変ゲインアンプ２４０の各々のゲインを決定する。これにより、ＡＧＣ機能が実現される。ゲイン制御部２５０は、決定したゲインに制御するためのＲＦゲイン制御信号をＲＦ可変ゲインアンプ２１０に信号線２５８を介して供給する。また、ゲイン制御部２５０は、決定したゲインに制御するためのＩＦゲイン制御信号をＩＦ可変ゲインアンプ２４０に信号線２５９を介して供給する。
【００２６】
振幅制限部３００は、信号形式および許容電圧に基づいて、受信装置２００からの出力信号の振幅を制限するものである。ここで、信号形式は、出力信号が差動出力信号であるか、シングル出力信号であるかを示す。また、許容電圧は、復調装置４００において誤動作や故障が生じない電圧であり、ＡＣ電圧のオフセットＤＣ電圧として許容される値である。信号形式および許容電圧は、作業者により予め設定される。
【００２７】
具体的には、振幅制限部３００は、出力信号の電圧の最大値が、許容電圧を超えないように、出力信号の振幅を制限する。また、振幅制限部３００は、制限により低下したゲインの分、ＩＦ可変ゲインアンプ２４０からの中間周波数信号を増幅する。振幅制限部３００は、制限した出力信号を復調装置４００に信号線２０９を介して供給する。なお、受信装置２００は、特許請求の範囲に記載のゲイン制御回路の一例である。
【００２８】
復調装置４００は、受信装置２００から出力された中間周波数信号に重畳された信号をベースバンド信号等に復調するものである。また、復調装置４００は、その出力信号の振幅をゲイン制御部２５０に信号線４０９を介して供給する。なお、復調装置４００は、特許請求の範囲に記載の信号処理装置の一例である。
【００２９】
［周波数変換部の構成例］
図２は、第１の実施の形態における周波数変換部２３０の一構成例を示すブロック図である。この周波数変換部２３０は、位相同期回路２３１と、電圧制御発信器２３２と、分周器２３３と、混合器２３４および２３５と、バンドパスフィルタ２３６および２３７を備える。
【００３０】
位相同期回路２３１は、所定の基準信号の位相と同期した信号を生成するものである。位相同期回路２３１は、生成した信号を電圧制御発信器２３２に供給する。
【００３１】
電圧制御発信器２３２は、制御電圧により周波数を制御した信号を生成するものである。電圧制御発信器２３２は、生成した信号を分周器２３３に供給する。
【００３２】
分周器２３３は、電圧制御発信器２３２からの信号の周波数を所定の分周比により分周するものである。分周器２３３は、分周した信号を局部発振信号として混合器２３４および２３５に出力する。
【００３３】
混合器２３４および２３５は、バンドパスフィルタ２２０からの高周波信号と、分周器２３３からの局部発振信号とを混合することにより、高周波信号の周波数を変換するものである。例えば、混合器２３４および２３５のうちの一方は、高周波信号の周波数と局部発振信号の周波数の和の周波数の信号を出力し、他方はそれらの差の周波数の信号を出力する。混合器２３４および２３５は、それらの信号を、差動出力可能な中間周波数信号ＩＦ１およびＩＦ２としてバンドパスフィルタ２３６および２３７にそれぞれ出力する。
【００３４】
バンドパスフィルタ２３６および２３７は、特定の周波数帯域の信号を通過させるものである。例えば、バンドパスフィルタ２３６および２３７は、信号品質劣化につながる妨害波を抑制するために用いられる。
【００３５】
図３は、第１の実施の形態におけるＩＦ可変ゲインアンプ２４０の一構成例を示すブロック図である。ＩＦ可変ゲインアンプ２４０は、差動ＩＦ可変ゲインアンプ２４１および２４２を備える。差動ＩＦ可変ゲインアンプ２４１および２４２のそれぞれは、ゲイン制御部２５０の制御に従って、中間周波数信号ＩＦ１およびＩＦ２を増幅するものである。
【００３６】
［振幅制限部の構成例］
図４は、第１の実施の形態における振幅制限部３００の一構成例を示すブロック図である。この振幅制限部３００は、ゲイン調整回路３１０および３３０と、抵抗３２１および３２２と、調整アンプ３２０と、分圧回路３４０と、許容電圧取得部３６０と、分圧制御部３７０と、ゲイン調整部３８０と、分圧比設定テーブル３９０とを備える。
【００３７】
ゲイン調整回路３１０は、調整アンプ３２０の反転入力（−）端子に並列に接続された回路であり、調整アンプ３２０のゲインを調整するためにゲイン調整部３８０により制御される。このゲイン調整回路３１０は、スイッチ３１１、３１３および３１５と、抵抗３１２、３１４および３１６とを備える。これらのスイッチ３１１、３１３および３１５は、入力端子および出力端子を有し、ゲイン調整部３８０の制御に従って、それらの端子間を開閉する。スイッチ３１１および抵抗３１２は直列に接続され、スイッチ３１３および抵抗３１４も直列に接続されている。また、スイッチ３１５および抵抗３１６も直列に接続されている。そして、スイッチ３１１および抵抗３１２は、調整アンプ３２０の反転入力（−）端子に並列に接続されている。また、スイッチ３１３および抵抗３１４と、スイッチ３１５および抵抗３１６とは、それぞれ調整アンプ３２０の反転入力（−）端子に並列に接続されている。
【００３８】
調整アンプ３２０は、ＩＦ可変ゲインアンプ２４０により増幅された中間周波数信号を増幅するものである。調整アンプ３２０の反転入力（−）端子には、抵抗３２１が接続され、その抵抗３２１を介して中間周波数信号ＩＦ１が入力される。一方、調整アンプ３２０の非反転入力（＋）端子には、抵抗３２２が接続され、その抵抗３２２を介して中間周波数信号ＩＦ２が入力される。
【００３９】
ここで、中間周波数信号ＩＦ１およびＩＦ２の電位差をＶ１とし、調整アンプ３２０の出力端子間の電位差をＶ２とし、抵抗３２１および３２２の各々の抵抗値をＲ１とし、ゲイン調整回路３１０および３３０の各々の合成抵抗をＲ２とする。この場合、これらの間には、次の式２が成立する。
Ｖ２＝Ｖ１×（Ｒ２／Ｒ１）    式２
式２より、ゲイン調整回路３１０および３３０の各々において、スイッチを制御して合成抵抗Ｒ２を変更することにより、調整アンプ３２０のゲインを変更することができる。例えば、Ｒ１が１０（ｋΩ）でＲ２が２０（ｋΩ）である場合には、Ｖ２／Ｖ１＝２となり、６ｄＢのゲインが得られる。
【００４０】
なお、振幅制限部３００は、抵抗Ｒ２の制御によりゲインを調整しているが、抵抗３２１および３２２の代わりに抵抗を制御できる回路を挿入し、抵抗Ｒ１の制御によりゲインを調整することもできる。また、振幅制限部３００は、Ｒ１およびＲ２の両方の制御により、ゲインを調整してもよい。
【００４１】
ゲイン調整回路３３０は、調整アンプ３２０の非反転入力（＋）端子に並列に接続された回路であり、調整アンプ３２０のゲインを調整するためにゲイン調整部３８０により制御される。このゲイン調整回路３３０は、スイッチ３３１、３３３および３３５と、抵抗３３２、３３４および３３６とを備える。これらのスイッチ３３１、３３３および３３５は、入力端子および出力端子を有し、ゲイン調整部３８０の制御に従って、それらの端子間を開閉する。スイッチ３３１および抵抗３３２は直列に接続され、スイッチ３３３および抵抗３３４も直列に接続されている。また、スイッチ３３５および抵抗３３６も直列に接続されている。そして、スイッチ３３１および抵抗３３２は、調整アンプ３２０の非反転入力（＋）端子に並列に接続されている。また、スイッチ３３３および抵抗３３４と、スイッチ３３５および抵抗３３６とは、それぞれ調整アンプ３２０の非反転入力（＋）端子に並列に接続されている。
【００４２】
分圧回路３４０は、抵抗３４１、３４２、３４４、３４５、３４６、３４８、３４９および３５１と、スイッチ３４３、３４７および３５０とを備える。抵抗３４１の一端は、調整アンプ３２０の出力端子の一方に接続され、他端は、振幅制限部３００の出力端子に接続されている。抵抗３４５の一端は、調整アンプ３２０の出力端子の他方に接続され、他端は、振幅制限部３００の出力端子に接続されている。
【００４３】
また、抵抗３４２、スイッチ３４３および抵抗３４４は、互いに直列接続され、抵抗３４６、スイッチ３４７および抵抗３４８も直列接続されている。また、抵抗３４９、スイッチ３５０および抵抗３５１も直列接続されている。抵抗３４２、スイッチ３４３および抵抗３４４からなる回路の一端は、抵抗３４１に接続され、他端は、抵抗３４５に接続されている。また、抵抗３４６、スイッチ３４７および抵抗３４８からなる回路と、抵抗３４９、スイッチ３５０および抵抗３５１からなる回路とのそれぞれの一端は、抵抗３４１に接続され、他端は、抵抗３４５に接続されている。
【００４４】
分圧回路３４０におけるスイッチ３４３、３４７および３５０の制御により、調整アンプ３２０の出力電圧Ｖ２が分圧される。例えば、抵抗３４１および３４５の抵抗値をＲ３とし、抵抗３４２および３４４の抵抗値をＲ４とすると、スイッチ３４３のみを閉状態に制御することにより、出力電圧Ｖ２は、Ｒ３／（Ｒ３＋Ｒ４）の分圧比で分圧される。分圧された出力電圧をＶ３とする。例えば、Ｒ３およびＲ４が１０（ｋΩ）である場合には、Ｖ２は、１／２の分圧比で分圧される。この結果、Ｖ３は、Ｖ２の半分となり、−６ｄＢのゲインが得られる。
【００４５】
許容電圧取得部３６０は、信号形式および許容電圧を取得するものである。許容電圧取得部３６０は、それらの信号形式および許容電圧を分圧制御部３７０およびゲイン調整部３８０に供給する。
【００４６】
分圧比設定テーブル３９０は、信号形式および許容電圧の組合せに対応づけて、分圧比を保持するテーブルである。分圧比は、出力電圧Ｖ３の最大値が、許容電圧を超えないように設定される。
【００４７】
分圧制御部３７０は、分圧回路３４０を制御するものである。具体的には、分圧制御部３７０は、許容電圧取得部３６０により取得された信号形式および許容電圧に対応する分圧比を分圧比設定テーブル３９０から読み出す。そして、分圧制御部３７０は、Ｖ３／Ｖ２が、その分圧比に等しくなるように、分圧回路３４０におけるスイッチの各々を制御する。前述したように、分圧比は、出力電圧Ｖ３の最大値が許容電圧を超えないような比率に設定されているため、許容電圧より大きな電圧が出力されなくなる。特に、電源が投入された復調装置４００に受信装置２００が接続されたとき、または、接続された復調装置４００に電源が投入されたときは、ＡＧＣによる制御のみでは電源投入時の電圧に追従しきれない可能性がある。しかし、予め、出力電圧を分圧しておくことにより、復調装置４００を保護することができる。なお、分圧回路３４０および分圧制御部３７０は、特許請求の範囲に記載の分圧部の一例である。
【００４８】
ゲイン調整部３８０は、ゲイン調整回路３１０および３３０を制御するものである。具体的には、ゲイン調整部３８０は、許容電圧取得部３６０により取得された信号形式および許容電圧に対応する分圧比を分圧比設定テーブル３９０から読み出す。そして、ゲイン調整部３８０は、Ｖ１／Ｖ２が、その分圧比に等しくなるようにゲイン調整回路３１０および３３０におけるスイッチの各々を制御する。これにより、分圧によりゲインが低下した分、中間周波数信号の電圧Ｖ１が増幅される。したがって、受信装置２００全体のゲインは分圧前と同様の値となる。例えば、分圧比が１／２（−６ｄＢ）である場合には、ゲイン調整部３８０はゲインを６ｄＢ増幅する。この結果、受信装置２００のＡＧＣにおける動作点が変化することがなくなる。なお、ゲイン調整回路３１０および３３０、調整アンプ３２０、および、ゲイン調整部３８０は、特許請求の範囲に記載の調整部の一例である。
【００４９】
なお、ゲイン調整回路３１０および３３０と、分圧回路３４０とにおいて、抵抗をスイッチにより切り替えているが、合成抵抗を制御することができるのであれば、これらの一部または全てを抵抗以外の素子に置き換えてもよい。例えば、抵抗はダイオードに置き換えてもよいし、抵抗およびスイッチは、トランジスタに置き換えてもよい。
【００５０】
図５は、第１の実施の形態における分圧比設定テーブル３９０の一例を示す図である。この分圧比設定テーブル３９０には、信号形式および許容電圧の組合せごとに分圧比が保持される。例えば、調整アンプ３２０の分圧前の出力信号の振幅の最大値が２Ｖｐｐであるものとする。ここで「Ｖｐｐ」は、交流信号の電圧の最大値と最小値との差を示す。
【００５１】
例えば、信号形式がシングル出力であり、かつ、許容電圧が２Ｖである場合には、出力電圧Ｖ３が許容電圧を超えることはないため、分圧比は「１」に設定される。一方、信号形式がシングル出力であり、かつ、許容電圧が１Ｖである場合には、分圧しないと出力電圧Ｖ３が許容電圧を超えてしまうため、「１／２」の分圧比が設定される。
【００５２】
また、信号形式が差動出力であり、かつ、許容電圧が１Ｖである場合には、出力電圧Ｖ３が許容電圧を超えることはないため、分圧比は「１」に設定される。一方、信号形式が差動出力であり、かつ、許容電圧が０．５Ｖである場合には、分圧しないと出力電圧Ｖ３が許容電圧を超えてしまうため、「１／２」の分圧比が設定される。
【００５３】
復調装置４００の仕様により許容電圧が異なることがあるが、分圧比設定テーブル３９０に各種の許容電圧を設定しておくことにより、様々な種類の復調装置４００に接続することが可能となり、受信装置２００の汎用性が向上する。
【００５４】
［ゲイン制御部の構成例］
図６は、第１の実施の形態におけるゲイン制御部２５０の一構成例を示すブロック図である。このゲイン制御部２５０は、過負荷検出回路２５１、積分回路２５２、選択回路２５３およびゲイン配分決定回路２５４を備える。
【００５５】
過負荷検出回路２５１は、受信装置２００からの出力信号を検波するものである。受信装置２００からの出力信号の振幅が所定の閾値以上である場合には、その出力信号を積分回路２５２に供給する。過負荷検出回路２５１により、受信信号品質を劣化させる妨害信号が検出される。
【００５６】
積分回路２５２は、過負荷検出回路２５１からの信号を積分するものである。積分回路２５２は、積分した信号を選択回路２５３に出力する。積分回路２５２における応答の速さ（時定数）は、受信信号の周波数に基づいて最適化される。
【００５７】
選択回路２５３は、積分回路２５２からの信号と、復調装置４００からの信号とのうち、振幅の大きい方を選択するものである。選択回路２５３は、選択した信号をゲイン配分決定回路２５４に供給する。
【００５８】
ゲイン配分決定回路２５４は、選択回路２５３からの信号の振幅に基づいて、その信号の振幅が一定になるようにＲＦ可変ゲインアンプ２１０およびＩＦ可変ゲインアンプ２４０の各々のゲインの配分を決定するものである。例えば、受信信号の振幅が比較的小さい場合には、ゲイン配分決定回路２５４は、ＲＦ可変ゲインアンプ２１０を減少させず、ＩＦ可変ゲインアンプ２４０のゲインを優先的に減少させる。一方、受信信号の振幅が比較的大きい場合には、ゲイン配分決定回路２５４は、ＩＦ可変ゲインアンプ２４０のゲインは変更せず、ＲＦ可変ゲインアンプ２１０を優先的に減少させる。ゲイン配分決定回路２５４は、決定した配分に基づいてＲＦゲイン制御信号およびＩＦゲイン制御信号をＲＦ可変ゲインアンプ２１０およびＩＦ可変ゲインアンプ２４０に出力する。前述したように振幅制限部３００は振幅制限時に分圧するためにゲインが低下するが、同時に、低下した分のゲインを上げているため、ゲイン配分決定回路２５４におけるゲインの配分において、分圧による影響がない。
【００５９】
図７は、第１の実施の形態における初期設定処理の一例を示すフローチャートである。この初期設定処理は、例えば、受信システムに電源が投入されたときに開始する。
【００６０】
受信装置２００および復調装置４００は、所定の初期化処理を実行する（ステップＳ９０１）。設定者や、受信システムに接続されたホスト装置などにより許容電圧が入力されると、受信装置２００は、その許容電圧を設定する（ステップＳ９０２）。受信装置２００は、振幅制限部３００において、設定した許容電圧に対応する抵抗値を設定することにより、ゲインおよび分圧比を設定する（ステップＳ９０３）。受信装置２００および復調装置４００は、受信動作を開始可能な状態であるアイドル状態に移行する（ステップＳ９０４）。ステップＳ９０４の後、受信システムは、初期設定処理を完了する。
【００６１】
このように、本技術の第１の実施の形態によれば、調整アンプの電圧Ｖ２の最大電圧と許容電圧との比率に応じて出力電圧を分圧回路３４０によって分圧しつつ、その比率に応じて電圧Ｖ２を増幅することにより動作点を維持しながら機器を保護することができる。
【００６２】
＜２．第２の実施の形態＞
［受信システムの構成例］
図８は、第２の実施の形態における受信システムの一構成例を示すブロック図である。第１の実施の形態では、許容電圧を予め設定しておく構成としていたが、受信装置２００は、許容電圧の値を復調装置４００から受け取ってもよい。第２の実施の形態の受信システムにおける振幅制限部３００は、許容電圧の値を復調装置４００から受け取る点において第１の実施の形態と異なる。また、第２の実施の形態の復調装置４００は、例えば、許容電圧をメモリ等に記憶しておき、所定のタイミングにおいて、受信装置２００に、その許容電圧を通知する点において第１の実施の形態と異なる。例えば、受信装置２００に電源が投入されたことを検知したとき、あるいは、電源が投入された受信装置２００が復調装置４００に接続されたことを検知したときに、復調装置４００は許容電圧を通知する。
【００６３】
図９は、第２の実施の形態における初期設定処理の一例を示すフローチャートである。第２の実施形態の初期設定処理は、ステップＳ９０２の代わりにステップＳ９１１およびＳ９１２を実行する点において第１の実施の形態と異なる。
【００６４】
初期化処理後（ステップＳ９０１）、受信装置２００は、許容電圧の値を取得する。例えば、復調装置４００のＡＤＣ（Analog to Digital Converter）の電源電圧が許容電圧として取得される（ステップＳ９１１）。受信装置２００は、分圧比設定テーブル３９０を参照して、許容電圧に対応する分圧比を読み出す（ステップＳ９１２）。受信システムは、ステップＳ９０３以降の動作を実行する。
【００６５】
このように、本技術の第２の実施の形態によれば、受信装置２００が許容電圧の値を復調装置４００から受け取るようにすることにより許容電圧を予め設定することなく、中間周波数信号を復調装置４００に供給することができる。
【００６６】
＜３．第３の実施の形態＞
［受信システムの構成例］
図１０は、第３の実施の形態における受信システムの一構成例を示すブロック図である。第１の実施の形態では、受信装置２００は、シングル出力信号および差動出力信号の両方の信号形式で出力することが可能であったが、いずれか一方の出力形式のみで出力してもよい。第３の実施の形態の受信システムにおける受信装置２００は、シングル出力信号のみを出力する点において第１の実施の形態と異なる。一方の信号形式しか出力されないため、第２の実施の形態の振幅制限部３００には、信号形式を設定する必要はない。
【００６７】
図１１は、第３の実施の形態における振幅制限部３００の一構成例を示すブロック図である。第３の実施の形態の振幅制限部３００は、抵抗３２２、ゲイン調整回路３３０および抵抗３４５を備えない点において第１の実施の形態と異なる。
【００６８】
このように、本技術の第３の実施の形態によれば、受信装置２００がシングル出力信号のみを出力するように構成することにより、簡易な回路構成によってゲインの増大および分圧を行うことができる。
【００６９】
＜４．第４の実施の形態＞
［受信システムの構成例］
図１２は、第４の実施の形態における振幅制限部３００の一構成例を示すブロック図である。第１の実施の形態では、許容電圧を予め設定しておく構成としていたが、受信装置２００が許容電圧を測定してもよい。第４の実施の形態の受信装置２００における振幅制限部３００は、許容電圧を測定する点において第１の実施の形態と異なる。
【００７０】
具体的には、振幅制限部３００は、許容電圧取得部３６０の代わりに許容電圧測定部３６１を備える。許容電圧測定部３６１は、受信装置２００が高周波信号を受信する前に、振幅制限部３００に接続された復調装置４００の電圧を許容電圧として測定しておく。許容電圧測定部３６１は、測定した許容電圧を必要に応じてＡ／Ｄ（Analog to Digital）変換して分圧制御部３７０およびゲイン調整部３８０に供給する。
【００７１】
図１３は、第４の実施の形態における初期設定処理の一例を示すフローチャートである。第４の実施形態の初期設定処理は、ステップＳ９１１の代わりにステップＳ９２１を実行する点において第２の実施の形態と異なる。
【００７２】
初期化処理後（ステップＳ９０１）、受信装置２００は、許容電圧を測定する。例えば、復調装置４００のコモン電圧が許容電圧として測定される（ステップＳ９２１）。受信システムは、ステップＳ９１２以降の動作を実行する。
【００７３】
このように、本技術の第４の実施の形態によれば、受信装置２００が許容電圧を測定することにより許容電圧を設定することなく中間周波数信号を復調装置４００に供給することができる。
【００７４】
なお、本技術は以下のような構成もとることができる。
（１）出力端子における出力電圧の振幅が一定となるように入力電圧を増幅する増幅部と、
前記出力端子に接続される機器が許容する許容電圧を取得する許容電圧取得部と、
前記増幅された入力電圧の最大電圧と前記許容電圧との比率に応じて前記出力電圧を分圧する分圧部と、
前記増幅された入力電圧を前記比率に応じてさらに増幅して前記出力端子に供給する調整部と
を具備するゲイン制御回路。
（２）前記許容電圧取得部は、前記出力端子の電圧を前記許容電圧として測定する
前記（１）記載のゲイン制御回路。
（３）前記許容電圧と前記比率とを対応付けて保持するテーブルをさらに具備し、
前記分圧部は、前記取得された許容電圧に対応する前記比率を前記テーブルから読み出して当該比率に応じて前記出力電圧を分圧する
前記（１）または（２）記載のゲイン制御回路。
（４）前記テーブルは、前記出力電圧が差動出力信号の電圧であるか否かを示す信号形式を前記許容電圧および前記比率に対応付けてさらに保持し、
前記分圧部は、前記信号形式および前記許容電圧に対応する前記比率を読み出す
前記（３）記載のゲイン制御回路。
（５）前記分圧部は、抵抗を挿入することにより前記出力電圧を分圧する
前記（１）乃至（４）のいずれかに記載のゲイン制御回路。
（６）前記調整部は、
前記増幅された入力電圧を増幅する調整アンプと、
前記比率に応じて前記調整アンプに接続する抵抗の抵抗値を変更することにより前記調整アンプのゲインを調整するゲイン調整部と
を備える前記（１）乃至（５）のいずれかに記載のゲイン制御回路。
（７）出力端子における出力電圧の振幅が一定となるように入力電圧を増幅する増幅部と、
前記出力端子に接続される機器が許容する許容電圧を取得する許容電圧取得部と、
前記増幅された入力電圧の最大電圧と前記許容電圧との比率に応じて前記出力電圧を分圧する分圧部と、
前記増幅された入力電圧を前記比率に応じてさらに増幅して前記出力端子に供給する調整部と
を具備する受信装置。
（８）受信信号が重畳された入力電圧が入力されると出力端子における出力電圧の振幅が一定となるように前記入力電圧を増幅する増幅部と、前記出力端子に接続される機器が許容する許容電圧を取得する許容電圧取得部と、前記増幅された入力電圧の最大電圧と前記許容電圧との比率に応じて前記出力電圧を分圧する分圧部と、前記増幅された入力電圧を前記比率に応じてさらに増幅して前記出力端子に供給する調整部とを備えるゲイン制御回路と、
前記出力電圧に重畳された前記受信信号を処理する信号処理装置と
を具備する受信システム。
【符号の説明】
【００７５】
１００  アンテナ
２００  受信装置
２１０  ＲＦ可変ゲインアンプ
２２０、２３６、２３７  バンドパスフィルタ
２３０  周波数変換部
２３１  位相同期回路
２３２  電圧制御発信器
２３３  分周器
２３４、２３５  混合器
２４０  ＩＦ可変ゲインアンプ
２４１、２４２  差動ＩＦ可変ゲインアンプ
２５０  ゲイン制御部
２５１  過負荷検出回路
２５２  積分回路
２５３  選択回路
２５４  ゲイン配分決定回路
３００  振幅制限部
３１０、３３０  ゲイン調整回路
３１１、３１３、３１５、３３１、３３３、３３５、３４３、３４７、３５０  スイッチ
３１２、３１４、３１６、３２１、３２２、３３２、３３４、３３６、３４１、３４２、３４４、３４５、３４６、３４８、３４９、３５１  抵抗
３２０  調整アンプ
３４０  分圧回路
３６０  許容電圧取得部
３６１  許容電圧測定部
３７０  分圧制御部
３８０  ゲイン調整部
３９０  分圧比設定テーブル
４００  復調装置
【図１】
0005867281.tif 000002
【図２】
0005867281.tif 000003
【図３】
0005867281.tif 000004
【図４】
0005867281.tif 000005
【図５】
0005867281.tif 000006
【図６】
0005867281.tif 000007
【図７】
0005867281.tif 000008
【図８】
0005867281.tif 000009
【図９】
0005867281.tif 000010
【図１０】
0005867281.tif 000011
【図１１】
0005867281.tif 000012
【図１２】
0005867281.tif 000013
【図１３】
0005867281.tif 000014